(57)【要約】【課題】日常生活に支障をきたすことなく、身近な場所に簡易に設置することができ、十分な強度を備えたコンパクト耐震シェルターを提供する。【解決手段】コンパクト耐震シェルターは、全体が略直方体状であり、正面部以外の部分が、根太や間柱で補強された木製の木枠３０により骨格が構成されている。木枠３０の底面部，上面部，右側面部，左側面部，背面部には、耐震パネルが木枠３０の表面と面一となるように嵌め込まれている。前記底面部，上面部，右側面部，左側面部，背面部を構成する長方形の枠には、前記耐震パネルの縁部全周を支持するために、耐震パネルの厚みと略同一の深さの受部３８，４６，５４，６４，６８が形成される。また、各面部のコーナー部は、補強金具７０により補強され、更に、正面部上方のコーナー部は、前記補強金具７０に加え、コーナー用金具と木製の補強板７８により補強される。【選択図】図２
0003186352.tif 000002
【実用新案登録請求の範囲】
【請求項１】
建築物の収納スペースに設置するためのコンパクト耐震シェルターであって、
全体が略直方体状に形成されており、正面部以外の部分が、根太ないし間柱で補強された木製の木枠と、
前記木枠の底面部，上面部，右側面部，左側面部，背面部に設けられた耐震パネルと、
前記木枠の底面部，上面部，右側面部，左側面部，背面部を構成する方形状の枠のそれぞれに、前記耐震パネルの厚みと略同一の深さに形成されており、該耐震パネルの縁部全周を支持する受部と、
を有することを特徴とするコンパクト耐震シェルター。
【請求項２】
前記根太及び間柱は、前記受部が耐震パネルを受ける面と同じ位置で、前記耐震パネルを受けるように配置されていることを特徴とする請求項１記載のコンパクト耐震シェルター。
【請求項３】
前記底面部，上面部，右側面部，左側面部，背面部，正面部の各コーナー部を、該コーナー部に沿って補強する補強金具，
前記方形状の枠の対向する２辺を締め付け固定する長ネジボルト，
の少なくとも一方を設けたことを特徴とする請求項１又は２記載のコンパクト耐震シェルター。
【請求項４】
前記正面部の上方の２箇所のコーナー部に、
前記補強金具よりも上方から固定するコーナー用金具と、
該コーナー用金具が隠れる大きさの木製の補強板と、
を設けたことを特徴とする請求項３記載のコンパクト耐震シェルター。
【請求項５】
前記建築物の収納スペースが、仕切りで上下に分かれた押入であるときに、
前記コンパクト耐震シェルターの高さを、前記仕切りよりも高くし、
前記仕切りを撤去した後の押入にコンパクト耐震シェルターが設置されることを特徴とする請求項１〜４のいずれか一項に記載のコンパクト耐震シェルター。
【考案の詳細な説明】
【技術分野】
【０００１】
本考案は、耐震シェルターに関し、更に具体的には、身近な場所に設置できる簡易でコンパクトな耐震シェルターに関するものである。
【背景技術】
【０００２】
従来の耐震シェルターは、例えば、下記特許文献１のように、一部屋全体を耐震シェルター化するか、下記特許文献２のように、ベッドそのものを耐震シェルターにするものか、あるいは、下記特許文献３のように、鋼材によって作られた耐震シェルターが大半である。
【先行技術文献】
【特許文献】
【０００３】
【特許文献１】特開２０１０−２２９７９４号公報
【特許文献２】特開２００５−１６２９３号公報
【特許文献３】特開２００７−１３２１０４号公報
【考案の概要】
【考案が解決しようとする課題】
【０００４】
しかしながら、以上のような背景技術は、いずれも大掛かりであったり、重量があったりする。このような耐震シェルターを設置すると、通常の生活に支障をきたすことがあるため、気軽に設置することができないという課題がある。従って、身近に迫ると言われる大震災において多くの人命を救うには、通常の生活に支障をきたすことなく、身近な場所に簡易に設置することができるコンパクト耐震シェルターがあると都合がよい。
【０００５】
本考案は、以上のような点に着目したもので、日常生活に支障をきたすことなく、身近な場所に簡易に設置することができ、十分な強度を備えたコンパクト耐震シェルターを提供することを、その目的とする。
【課題を解決するための手段】
【０００６】
本考案は、建築物の収納スペースに設置するためのコンパクト耐震シェルターであって、全体が略直方体状に形成されており、正面部以外の部分が、根太ないし間柱で補強された木製の木枠と、前記木枠の底面部，上面部，右側面部，左側面部，背面部に設けられた耐震パネルと、前記木枠の底面部，上面部，右側面部，左側面部，背面部を構成する方形状の枠のそれぞれに、前記耐震パネルの厚みと略同一の深さに形成されており、該耐震パネルの縁部全周を支持する受部と、を有することを特徴とする。
【０００７】
主要な形態の一つは、前記根太及び間柱は、前記受部が耐震パネルを受ける面と同じ位置で、前記耐震パネルを受けるように配置されていることを特徴とする。他の形態は、前記底面部，上面部，右側面部，左側面部，背面部，正面部の各コーナー部を、該コーナー部に沿って補強する補強金具，前記方形状の枠の対向する２辺を締め付け固定する長ネジボルト，の少なくとも一方を設けたことを特徴とする。
【０００８】
更に他の形態は、前記正面部の上方の２箇所のコーナー部に、前記補強金具よりも上方から固定するコーナー用金具と、該コーナー用金具が隠れる大きさの木製の補強板と、を設けたことを特徴とする。更に他の形態は、前記建築物の収納スペースが、仕切りで上下に分かれた押入であるときに、前記コンパクト耐震シェルターの高さを、前記仕切りよりも高くし、前記仕切りを撤去した後の押入にコンパクト耐震シェルターが設置されることを特徴とする。本考案の前記及び他の目的，特徴，利点は、以下の詳細な説明及び添付図面から明瞭になろう。
【考案の効果】
【０００９】
本考案によれば、建築物の収納スペースに設置するためのコンパクト耐震シェルターを、全体が略直方体状であって、正面部以外が根太ないし間柱で補強された木製の木枠と、該木枠の底面部，上面部，右側面部，左側面部，背面部に設けた耐震パネルにより構成する。そして、前記木枠の底面部，上面部，右側面部，左側面部，背面部を構成する方形状の枠のそれぞれに、耐震パネルの厚みと略同一の深さの受部を設けて、該耐震パネルの縁部全周を支持することとした。このため、日常生活に支障をきたすことなく、身近な場所に十分な強度を有する簡易なコンパクト耐震シェルターを設定でき、地震に備えることができる。
【図面の簡単な説明】
【００１０】
【図１】本考案の実施例１のコンパクト耐震シェルターの設置状態を示す画像である。
【図２】前記実施例のコンパクト耐震シェルターの木枠の構造を示す外観斜視図である。
【図３】前記木枠の上面部及び底面部に、耐震パネルを嵌める様子を示す断面図であり、(A)は前記図２を＃Ａ−＃Ａ線に沿って切断し矢印方向に見た図，(B)は前記図２を＃Ｂ−＃Ｂ線に沿って切断し矢印方向に見た図である。
【図４】前記実施例１の正面部の補強構造を示す平面図である。
【図５】前記実施例１のコンパクト耐震シェルターの画像である。
【考案を実施するための形態】
【００１１】
以下、本考案を実施するための最良の形態を、実施例に基づいて詳細に説明する。
【実施例１】
【００１２】
最初に、図１〜図５を参照しながら、本考案の実施例１を説明する。図１は、本実施例のコンパクト耐震シェルターの設置状態を示す画像であり、図２は、本実施例のコンパクト耐震シェルターの木枠の構造を示す外観斜視図である。図３は、前記木枠に耐震パネルを嵌める様子を示し、(A)は前記図２を＃Ａ−＃Ａ線に沿って切断し矢印方向に見た断面図，(B)は前記図２を＃Ｂ−＃Ｂ線に沿って切断し矢印方向に見た断面図である。図４は、前記実施例１の正面部の補強構造を示す平面図，図５は、本実施例のコンパクト耐震シェルターの画像である。
【００１３】
本考案のコンパクト耐震シェルターは、建築物の収納スペース，例えば、図１(B)に示すように、住宅の押入８０の中などに設置するためのものである。図１(A)に点線で示すように、押入８０を上下に仕切る仕切り９０は、容易に取り外すことができるため、本実施例では、前記仕切り９０の撤去後に、コンパクト耐震シェルター１０を設置することとしている。なお、前記仕切り９０を取り外しても、図１(B)に示すように、コンパクト耐震シェルター１０の上面部１４を前記仕切り９０の代わりに利用することができるため、布団８２や枕８４などの収納に不都合はない。
【００１４】
前記コンパクト耐震シェルター１０は、図１(A)及び(B)，図５(A)に示すように、全体が略直方体状であって、底面部１２，上面部１４，右側面部１６，左側面部１８，背面部２０に、耐震パネルＰが嵌め込まれており、正面部２２は人間が出入りできるように開放している。前記コンパクト耐震シェルター１０は、図２に示すように、全体が略直方体状の木枠３０により骨格が構成され、前記正面部２２以外の部分が、根太や間柱により適宜補強されている。前記木枠３０は、例えば、多数の木材の組み込み等により構成される。
【００１５】
まず、底面部１２の枠は、図２に示すように、対向する右土台３２ａ及び左土台３２ｂと、対向する前土台３４ａと奥土台３４ｂにより長方形に構成される。この長方形の枠の内寸は、底面部１２に設置する耐震パネルＰの外形よりも小さくなっている。そして、図２に点線で示すように前記枠を所定の幅Ｉ及び深さＤで削ることにより、耐震パネルＰの縁部全周を受ける受部３８が形成される。該受部３８の深さＤは、耐震パネルＰの厚さと略同一である。また、前記枠の内側には、３本の根太が設けられている。中央の下中根太３６ｂは、下側が設置面に達する太さであり、その両側の下根太３６ａ，３６ｃは、設置面に接しない太さである。これら下根太３６ａ，３６ｃ及び下中根太３６ｂは、前記受部３８と同じ高さで耐震パネルＰを受ける位置に配置されている。
【００１６】
次に、前記上面部１４の枠は、対向する右桁４０ａ及び左桁４０ｂと、対向する前桁４２ａ及び奥桁４０ｂにより長方形に構成される。この長方形の枠の内寸は、上面部１４に設置する耐震パネルＰの外形よりも小さく設定されている。そして、前記図２に点線で示すように前記枠を所定の幅Ｉ及び深さＤで削ることにより、耐震パネルＰの縁部全周を受ける受部４６が形成される。前記受部４６の深さＤは、耐震パネルＰの厚さと略同一である。また、前記枠の内側に、３本の根太が設けられている。中央の上中根太４４ｂは、下面が、前記前桁４２ａ，奥桁４２ｂの底面と同じ高さになる太さであり、その両側の上根太４４ａ，４４ｃは、下面が前記上中根太４４ｂよりも高くなる太さである。これら上根太４４ａ，４４ｃ及び上中根太４４ｂは、前記受部４６と同じ高さで耐震パネルＰを受ける位置に配置される。
【００１７】
右側面部１６の枠は、対向する前記右土台３２ａと右桁４０ａと、対向する前右柱５０ａと奥右柱５０ｂにより長方形に形成されており、その内側に、補強材として間柱５２が設けられている。該右側面部１６の枠の内寸は、右側面部１６に設置する耐震パネルＰの外形よりも小さく設定されている。そして、前記図２に点線で示すように、前記枠の外側を所定の幅Ｉ及び深さＤで削ることにより、耐震パネルＰの縁部全周を受ける受部５４が形成される。該受部５４の深さＤは、耐震パネルＰの厚さと略同一である。また、前記間柱５２は、前記受部５４と同じ位置で耐震パネルＰを受け、かつ、底面部１２及び上面部１４の受部３８，４６と重ならない位置に設けられている。
【００１８】
左側面部１８の枠は、対向する前記左土台３２ｂと左桁４０ｂと、対向する前左柱６０ａと奥左柱６０ｂにより長方形に形成され、その内側に、補強材として間柱６２が設けられている。前記左側面部１８の枠の内寸は、左側面部１６に設置する耐震パネルＰの外形よりも小さく設定されている。そして、前記図２に点線で示すように、前記枠の外側を所定の幅Ｉ及び深さＤで削ることにより、耐震パネルＰの縁部全周を受ける受部６４が形成される。該受部６４の深さＤは、耐震パネルＰの厚さと略同一である。また、前記間柱６２は、前記受部６４と同じ位置で耐震パネルＰを受け、かつ、底面部１２及び上面部１４の受部３８，４６の縁部と重ならない位置に設けられている。
【００１９】
背面部２０は、前記対向する奥土台３４ｂと上桁４２ｂと、対向する前記奥右柱５０ｂと奥左柱６０ｂにより長方形に形成され、その内側に、３本の間柱６６が補強材として設けられている。前記背面部２０の枠の内寸は、背面部２０に設置する耐震パネルＰの外形よりも小さく設定されている。そして、前記図２に点線で示すように、前記枠の外側を所定の幅Ｉ及び深さＤで削ることにより、耐震パネルＰの縁部全周を受ける受部６８が形成される。該受部６８の深さＤは、耐震パネルＰの厚さと略同一である。また、前記間柱６６は、前記受部６８と同じ位置で耐震パネルＰを受け、かつ、底面部１２及び上面部１４の受部３８，４６の縁部と重ならない位置に設けられている。
【００２０】
以上のような木枠３０の上面部１４に耐震パネルＰを設けるときは、図３(A)及び(B)に示すように、上面部１４の受部４６に耐震パネルＰを嵌め込むようにする。前記受部４６の深さＤは、耐震パネルＰの厚さと略同一のため、嵌め込み後の上面部１４は、図３(B)及び図５(A)に示すように面一となる。また、嵌め込んだ耐震パネルＰは、適宜位置を釘等により木枠３０に固定する。右側面部１６及び左側面部１８の耐震パネルＰも、図３(A)及び(B)に示すように、受部５４，６４に嵌め込み後は、面一となる。また、図示を省略するが、背面部２２の耐震パネルＰも、受部６８に嵌め込んだ後は同様である。
【００２１】
また、前記底面部１２に耐震パネルＰを設ける際、本実施例では、底面部１２の枠に受部３８を形成した後に、前右柱５０ａ，奥右柱５０ｂ，前左柱６０ａ，奥左柱６０ｂを立てているので、前記受部３８の四つ角の上方が、図３(C)に示すように塞がっている。このため、底面部１２の耐震パネルＰを、２つのパネルＰ´に分割したもの（あるいは、始めからパネルＰの半分の大きさのパネルＰ´）を、図３(C)に示すように、片方ずつ受部３８に差し込むことで、図１(A)，図３(D)に示すように、全体として一枚の耐震パネルＰが嵌め込まれたのと同様となる。
【００２２】
以上のような木枠３０の各コーナー部には、略Ｌ字状の耐震用の補強金具７０が設けられる（図２には、左土台３２ｂと奥左柱６０ｂの直交部分のみ図示）。前記補強金具７０は、図５(B)〜(F)に示すように、横材（右土台３２ａ，左土台３２ｂ，前土台３４ａ，奥土台３４ｂ，右桁４０ａ，左桁４０ｂ，前桁４２ａ，奥桁４２ｂ）と縦材（前右柱５０ａ，奥右柱５０ｂ，前左柱６０ａ，奥左柱６０ｂ）が直交する部分に設けられる。また、図５(C)に示すように、右桁４０ａと左桁４０ｂの間は、長ネジボルト７４により締め付け固定され、図５(D)に示すように、前桁４２ａと奥桁４２ｂの間は、長ネジボルト７２により締め付け固定される。
【００２３】
更に、正面部２２の上部コーナー部には、図４及び図５(D)に示すように、前桁４２ａと前右柱５０ａのコーナー部を補強する補強金具７０に加え、該補強金具７０の上から前桁４２ａと右前柱５０ａに接して固定するコーナー用金具７６が固定される。そして、正面部２２から出入りする人が前記コーナー用金具７６に頭をぶつけることを防止するため、前記コーナー用金具７６が完全に隠れる大きさの略三角形の木製の補強板７８を設ける。他方の前桁４２ａと前左柱６０ａのコーナー部についても同様である（図１参照）。
【００２４】
このように、実施例１によれば、次のような効果が得られる。
(1)コンパクト耐震シェルター１０は、耐震パネルＰの縁部全周を、長方形の枠に設けた受部により受けることとしたので、筋交いよりも強度が高い。
(2)木枠３０のコーナー部に補強金具７０を設け、長ネジボルト７２，７４で締め付け固定することで、一層強度が増す。
(3)また、正面部２２の上方のコーナー部には、前記補強金具７０に加え、コーナー用金具７６と木製の補強板７８を設けたので、コーナー部の強化を図るとともに、出入りの際に、前記コーナー金具７６に頭をぶつけにくくなる。
(4)このようなコンパクト耐震シェルター１０を、図１(A)及び(B)に示すように、例えば、押入８０の仕切り９０を取り外した後に設置することで、身近な簡易シェルターとして利用でき、常に、地震に備えることができる。特に、前記仕切り９０を外すことで、コンパクト耐震シェルター１０の高さの制約が少なくなるので、使用者の体格や人数等に合わせて高さ等を設定できる。
【００２５】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、例えば、立方体状にするなど、必要に応じて適宜変更可能である。
(2)前記実施例で示した木枠３０の骨組みも一例であり、設置場所の条件等に応じて、適宜設計変更してよい。
(3)前記実施例では、押入８０の上下の仕切り９０を外してコンパクト耐震シェルター１０を設置することとしたが、これも一例であり、押入８０の下段に収まる寸法とすることを妨げるものではない。
(4)前記実施例では、押入８０にコンパクト耐震シェルター１０を設置することとしたが、これも一例であり、クローゼットのような柱の寄り集る場所や、人が容易に避難できる場所に設置するようにしてもよい。
【産業上の利用可能性】
【００２６】
本考案によれば、建築物の収納スペースに設置するためのコンパクト耐震シェルターを、全体が略直方体状であり、正面部以外が根太ないし間柱で補強された木製の木枠と、該木枠の底面部，上面部，右側面部，左側面部，背面部に設けた耐震パネルにより構成する。そして、前記木枠の底面部，上面部，右側面部，左側面部，背面部を構成する長方形の枠のそれぞれに、耐震パネルの厚みと略同一の深さの受部を設けて、前記耐震パネルの縁部全周を支持することとした。このため、日常生活に支障をきたすことなく身近な場所に設置でき、かつ、十分な強度も有するから、簡易なコンパクト耐震シェルターの用途に適用できる。特に、押入に設置するコンパクト耐震シェルターの用途に好適である。
【符号の説明】
【００２７】
１０：コンパクト耐震シェルター
１２：底面部
１４：上面部
１６：右側面部
１８：左側面部
２０：背面部
２２：正面部
３０：木枠
３２ａ：右土台
３２ｂ：左土台
３４ａ：前土台
３４ｂ：奥土台
３６ａ，３６ｃ：下根太
３６ｂ：下中根太
３８，４６，５４，６４，６８：受部
４０ａ：右桁
４０ｂ：左桁
４２ａ：前桁
４２ｂ：奥桁
４４ａ，４４ｃ：上根太
４４ｂ：上中根太
５０ａ：前右柱
５０ｂ：奥右柱
５２：間柱
６０ａ：前左柱
６０ｂ：奥左柱
６２，６６：間柱
７０：補強金具
７２，７４：長ネジボルト
７６：コーナー用金具
７８：補強板
８０：押入
８２：布団
８４：枕
９０：仕切り
Ｐ，Ｐ´：耐震パネル
【図２】
0003186352.tif 000003
【図３】
0003186352.tif 000004
【図４】
0003186352.tif 000005
【図１】
0003186352.tif 000006
【図５】
0003186352.tif 000007